【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
径嵌合して光軸方向に相対移動可能に保持される第一の筒部材及び第二の筒部材と、前記第一の筒部材と前記第二の筒部材の間に狭持され、前記第一の筒部材と前記第二の筒部材の嵌合ガタを軽減するガタ寄せ部材と、を有するレンズ鏡筒において、
前記ガタ寄せ部材は、軸部と、一部が前記軸部より、前記軸部の軸方向に垂直な方向の径が大きい傘部と、を有し、前記軸部が、前記第一の筒部材と前記第二の筒部材のうち、いずれか一方に設けられた貫通穴に貫通して保持されており、
前記傘部は、突起部と、唾部と、前記軸部と前記唾部を繋ぐ繋ぎ部と、を有し、
前記繋ぎ部における前記軸方向の厚さは、前記唾部における前記軸方向の厚さよりも薄く、
前記繋ぎ部は、前記第一の筒部材と前記第二の筒部材のうち、いずれか一方が前記突起部に当接し、他方が前記唾部に当接することで、前記ガタ寄せ部材が前記第一の筒部材と前記第二の筒部材の間に挟持されたときに、前記軸方向に弾性変形することを特徴とするレンズ鏡筒。
【請求項２】
前記ガタ寄せ部材は、前記ガタ寄せ部材の軸部が前記第一の筒部材、及び前記第二の筒部材のいずれか一方に設けられた筒中心方向にあけられた貫通穴に挿入され、少なくとも前記突起部の頂面は、前記ガタ寄せ部材が取り付けられた側の筒部材の構成材料よりも摩擦係数が低い材料からなることを特徴とする請求項１に記載のレンズ鏡筒。
【請求項３】
前記ガタ寄せ部材の軸部の軸径は、軸方向に向かって同径で延伸し、前記ガタ寄せ部材が軸方向に変形した際に、軸部が前記貫通穴にガイドされて移動可能なことを特徴とする請求項２に記載のレンズ鏡筒。
【請求項４】
前記ガタ寄せ部材の軸部は、前記第一の筒部材、及び前記第二の筒部材のいずれか一方の径嵌合突起部に設けた貫通穴に固定されることを特徴とする請求項１、２又は３のいずれか一項に記載のレンズ鏡筒。
【請求項５】
前記ガタ寄せ部材が取り付けられる前記第一の筒部材、及び前記第二の筒部材のいずれか一方は、筒端部から延伸した複数の凸状部を有し、前記凸状部は２つの筒部材が相対移動する際にも常に他方の筒部材と径嵌合関係にあって、前記ガタ寄せ部材は前記凸状部に組み込まれていることを特徴とする請求項３に記載のレンズ鏡筒。
【請求項６】
前記ガタ寄せ部材が取り付けられる前記第一の筒部材、及び前記第二の筒部材のいずれか一方は、樹脂よりなり、外力を受けた際に前記ガタ寄せ部材とともに、前記凸状部も弾性変形して衝撃吸収することを特徴とする請求項５に記載のレンズ鏡筒。
【請求項７】
請求項１乃至６のいずれか１項のレンズ鏡筒を有していることを特徴とする光学機器。 
【請求項８】
径嵌合して光軸方向に相対移動可能に保持される第一の筒部材、及び第二の筒部材の間に狭持され双方の嵌合ガタを軽減するガタ寄せ部材であって、
前記ガタ寄せ部材は、軸部と、一部が前記軸部より、前記軸部の軸方向に垂直な方向の径が大きい傘部と、を有し、前記軸部が、前記第一の筒部材と前記第二の筒部材のうち、いずれか一方に設けられた貫通穴に貫通して保持されており、
前記傘部は、突起部と、唾部と、前記軸部と前記唾部を繋ぐ繋ぎ部と、を有し、
前記繋ぎ部における前記軸方向の厚さは、前記唾部における前記軸方向の厚さよりも薄く、
前記繋ぎ部は、前記第一の筒部材と前記第二の筒部材のうち、いずれか一方が前記突起部に当接し、他方が前記唾部に当接することで、前記ガタ寄せ部材が前記第一の筒部材と前記第二の筒部材の間に挟持されたときに、前記軸方向に弾性変形することを特徴とするガタ寄せ部材。
【請求項９】
前記ガタ寄せ部材の軸部の軸径は、軸方向に向かって同径で延伸していることを特徴とする請求項８のガタ寄せ部材。
【手続補正２】
【補正対象書類名】明細書
【補正対象項目名】発明の名称
【補正方法】変更
【補正の内容】
【発明の名称】レンズ鏡筒およびそれを有する光学機器並びにガタ寄せ部材
【手続補正３】
【補正対象書類名】明細書
【補正対象項目名】０００１
【補正方法】変更
【補正の内容】
【０００１】
本発明はレンズ鏡筒及びそれを有する光学機器並びにガタ寄せ部材に関し、例えばレンズ群を保持するレンズ保持部材を嵌合ガタが少なく光軸方向へ移動することができるデジタルカメラやビデオカメラ等に好適なものである。
【手続補正４】
【補正対象書類名】明細書
【補正対象項目名】０００６
【補正方法】変更
【補正の内容】
【０００６】
特許文献２の鏡筒装置では、第一のレンズ保持部材、第二のレンズ保持部材が互いに芯合わせされた状態で所定の嵌合ガタを持たせて径嵌合して、嵌合ガタの除去のためにどちらか一方のレンズ保持部材側に弾性部材を設けて嵌合ガタ寄せを行っている。
【手続補正５】
【補正対象書類名】明細書
【補正対象項目名】００１０
【補正方法】変更
【補正の内容】
【００１０】
本発明は、光学機器の姿勢によりレンズ保持部材が倒れたり偏芯するのを軽減するための弾性部材を小スペース化を図りつつ配置し、駆動の際に駆動負荷の増大を軽減することが容易なレンズ鏡筒及びそれを有する光学機器並びにガタ寄せ部材の提供を目的とする。
【手続補正６】
【補正対象書類名】明細書
【補正対象項目名】００１１
【補正方法】変更
【補正の内容】
【００１１】
本発明のレンズ鏡筒は、径嵌合して光軸方向に相対移動可能に保持される第一の筒部材及び第二の筒部材と、前記第一の筒部材と前記第二の筒部材の間に狭持され、前記第一の筒部材と前記第二の筒部材の嵌合ガタを軽減するガタ寄せ部材と、を有するレンズ鏡筒において、前記ガタ寄せ部材は、軸部と、一部が前記軸部より、前記軸部の軸方向に垂直な方向の径が大きい傘部と、を有し、前記軸部が、前記第一の筒部材と前記第二の筒部材のうち、いずれか一方に設けられた貫通穴に貫通して保持されており、前記傘部は、突起部と、唾部と、前記軸部と前記唾部を繋ぐ繋ぎ部と、を有し、前記繋ぎ部における前記軸方向の厚さは、前記唾部における前記軸方向の厚さよりも薄く、前記繋ぎ部は、前記第一の筒部材と前記第二の筒部材のうち、いずれか一方が前記突起部に当接し、他方が前記唾部に当接することで、前記ガタ寄せ部材が前記第一の筒部材と前記第二の筒部材の間に挟持されたときに、前記軸方向に弾性変形することを特徴としている。
【手続補正７】
【補正対象書類名】明細書
【補正対象項目名】００１４
【補正方法】変更
【補正の内容】
【００１４】
以下に、本発明の実施の形態を添付の図面に基づいて詳細に説明する。本発明のレンズ鏡筒は、径嵌合して光軸方向に相対移動可能に保持される第一の筒部材、第二の筒部材を有する。ここで第一の筒部材、第二の筒部材は案内筒１１０とカム筒１１１又は直進筒１１２とカム筒１１１である。第一の筒部材、第二の筒部材間に狭持され双方の嵌合ガタを軽減するガタ寄せ部材１１９を有する。
【手続補正８】
【補正対象書類名】明細書
【補正対象項目名】００１５
【補正方法】変更
【補正の内容】
【００１５】
ガタ寄せ部材１１９は、軸部１１９Ｃと、一部が軸部より、軸部の軸方向に垂直な方向の径が大きい傘部１１９Ｅ（突起部１１９Ａ、唾部１１９Ｂ）を有している。そしてガタ寄せ部材１１９は、軸部１１９Ｃが第一の筒部材、第二の筒部材のどちらか一方に設けられ、筒中心方向にあけられた貫通穴１１０Ｅに貫通して保持されている。ガタ寄せ部材１１９はガタ寄せ部材が取り付けられた側の筒部材（案内筒１１０、直進筒１１２）の構成材料よりも摩擦係数が低い材料からなる。傘部の、軸部１１９Ｃと唾部１１９Ｂの繋ぎ部２０１の肉厚Ｔ１が、傘部の唾部１１９Ｂの肉厚Ｔ２より肉薄に設定されている。
【手続補正９】
【補正対象書類名】明細書
【補正対象項目名】００１６
【補正方法】変更
【補正の内容】
【００１６】
ガタ寄せ部材１１９の突起部１１９Ａの頂面３０１が第一の筒部材、第二の筒部材のいずれか一方の嵌合面（内周面１１１Ｅ、外周嵌合面１１１Ｆ）に当接したとき繋ぎ部２０１は肉厚方向に弾性変形する（弾性係数の傾きを低く抑え）形状より成っている。特に、ガタ寄せ部材１１９の軸部１１９Ｃの軸径は、軸方向に向かって同径で延伸している。そしてガタ寄せ部材１１９が軸方向に変形した際に、軸部１１９Ｃが貫通穴１１０Ｅにガイドされて移動可能となっている。
【手続補正１０】
【補正対象書類名】明細書
【補正対象項目名】００２６
【補正方法】変更
【補正の内容】
【００２６】
ガタ寄せ部材１１９は、突起部１１９Ａと唾部１１９Ｂと軸部１１９Ｃ、くびれ部１１９Ｄを有している。突起部１１９Ａと唾部１１９Ｂは傘部１１９Ｅの一部を構成している。突起部１１９Ａは唾部１１９Ｂ上に設けられている。そして、相対移動する第一の筒部材１１１、第二の筒部材１１０の２つの筒部材間に挟持されている。そしてこのうち一方の筒部材１１１の内周面１１１Ｅと接触する突起部１１９Ａの頂面３０１の先端面積は摩擦低減のため、唾部１１９Ｂの投影面積よりも小さく設定されている。軸部１１９Ｃは、唾部１１９Ｂの突起１１９Ａが設けられた面の反対面側に設けられており、軸部１１９Ｃの唾部１１９Ｂとの繋ぎ部２０１にはくびれ部１１９Ｄが設けられている。くびれ部１１９Ｄは唾部１１９Ｂと軸部１１９Ｃの繋ぎ部２０１に設けられ、軸部１１９Ｃの軸方向に窪んだ形状になっている。また、軸部１１９Ｃの直径寸法は唾部１１９Ｂの範囲まで同径に設定されている。
【手続補正１１】
【補正対象書類名】明細書
【補正対象項目名】００３１
【補正方法】変更
【補正の内容】
【００３１】
即ち、
Ｘ１＝Ｙ１＋ΔＸ１
の如く設定されている。そのため、組込み状態では、ガタ寄せ部材１１９は案内筒１１０の中心軸方向に圧縮力が働き、距離ΔＸだけ変形して組まれていることになる。このとき、ガタ寄せ部材１１９にくびれ部１１９Ｄがあるため、繋がり部分１１９Ｂはくびれ部１１９Ｄの形状が弾性変形することで圧縮力を吸収しており、変形時の反発力が過剰に大きくならないようにしてある。また、軸部１１９Ｃの直径寸法（軸径）が軸方向に向かって唾部１１９Ｂの範囲Ｂまで同径に延伸するように設定されている。このため、ガタ寄せ部材１１９が軸方向に荷重を受けて変形した際にも貫通穴１１０Ｅにガイドされて詰まることなく繋ぎ部２０１の弾性変形が容易になる。
【手続補正１２】
【補正対象書類名】明細書
【補正対象項目名】００３２
【補正方法】変更
【補正の内容】
【００３２】
尚、ガタ寄せ部材１１９をガタ寄せ部材１１９が設けられた案内筒１１０よりもＰＯＭなどの摩擦係数の低い樹脂で作ると、押圧力が強い場合にもカム筒１１１の回転時に回転力のロスを減らすことができる。これにより、案内筒１１０とカム筒１１１の径嵌合ガタを一定方向に片寄せできる。このため、案内筒１１０の光軸方向の第一の直進筒１１０Ａ、第二の直進筒１１０Ｂ、第三の直進筒１１０Ｃとカム筒１１１の第一カム溝１１１Ｂ、第二カム溝１１１Ｃ、第三カム溝１１１Ｄとの交点位置を安定させることができる。
【手続補正１３】
【補正対象書類名】明細書
【補正対象項目名】００３７
【補正方法】変更
【補正の内容】
【００３７】
［実施例２］
図７は本発明の交換レンズ１００の実施例２の一部分の概略図である。本実施例ではガタ寄せ部材１１９が取り付けられる第一の筒部材、第二の筒部材のどちらか一方（直進筒１１２）は、筒端部から延伸した複数の凸状部１１２Ｂを有している。そして、凸状部１１２Ｂは２つの筒部材（直進筒１１２、カム筒１１１）が相対移動する際にも常に他方の筒部材（カム筒１１１）と径嵌合関係にある。ガタ寄せ部材１１９は凸状部１１２Ｂに組み込まれている。